【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】
用紙上に画像形成を行う画像形成エンジンと、
用紙が積層されて収納される積層収納部と、
この積層されている用紙を１枚ずつ分離して前記画像形成エンジンに搬送する給送装置と、
前記搬送を行う搬送経路上に設けられ前記積層収納部から取り出された前記用紙が一時的に収納される一時収納部と、
この一時収納部に前記積層収納部から搬送された前記用紙を先端から収納し、また、前記一時収納部に収納されている前記用紙の後端を先端とするように前記用紙をスイッチバックして前記画像形成エンジンに向けて送り出す用紙反転装置と、
前記送り出しがされる先行する用紙と当該用紙に後続して前記収納がされる用紙とが前記一時収納部内で少なくとも部分的に重畳するように前記給送装置及び前記用紙反転装置を制御する第１の制御手段と、を備えている画像形成装置。
【請求項２】
前記第１の制御手段は、前記先行する用紙の搬送方向の後端側と前記後続の用紙の搬送方向の先端側とが重畳するように前記給送装置及び前記用紙反転装置を制御するものである請求項１に記載の画像形成装置。
【請求項３】
前記第１の第１の制御手段は、前記先行する用紙と前記後続の用紙との間隔を前記重畳により当該重畳が発生する以前に比べて短縮するものである請求項１又は２に記載の画像形成装置。
【請求項４】
前記積層収納部から前記一時収納部に搬送する用紙の搬送速度を前記画像形成エンジンでの画像形成速度より１０％以上高い速度にするように前記給送装置を制御する第２の制御手段を備えている請求項１〜３のいずれかの一に記載の画像形成装置。
【請求項５】
前記画像形成エンジンは、前記画像形成を電子写真方式で行う請求項１〜４のいずれかの一に記載の画像形成装置。
【請求項６】
前記画像形成エンジンは、前記画像形成を感光体に対する静電潜像の光書込みにデジタル光書込装置を用いるデジタル電子写真方式で行う請求項５に記載の画像形成装置。
【手続補正２】
【補正対象書類名】明細書
【補正対象項目名】０００１
【補正方法】変更
【補正の内容】
【０００１】
【発明の属する技術分野】
この発明は、用紙を画像形成エンジンに搬送する搬送経路に設けた一時収納部に用紙を先端から収納し、この用紙の後端を先端とするようにスイッチバックして画像形成エンジンに搬送する機能を備えた画像形成装置に関する。
【手続補正３】
【補正対象書類名】明細書
【補正対象項目名】０００８
【補正方法】変更
【補正の内容】
【０００８】
この発明の目的は、電子写真方式の画像形成装置について、画像形成エンジンの消耗を大幅に改善することである。
【手続補正４】
【補正対象書類名】明細書
【補正対象項目名】００１０
【補正方法】変更
【補正の内容】
【００１０】
【課題を解決するための手段】
請求項１に記載の発明は、用紙上に画像形成を行う画像形成エンジンと、用紙が積層されて収納される積層収納部と、この積層されている用紙を１枚ずつ分離して前記画像形成エンジンに搬送する給送装置と、前記搬送を行う搬送経路上に設けられ前記積層収納部から取り出された前記用紙が一時的に収納される一時収納部と、この一時収納部に前記積層収納部から搬送された前記用紙を先端から収納し、また、前記一時収納部に収納されている前記用紙の後端を先端とするように前記用紙をスイッチバックして前記画像形成エンジンに向けて送り出す用紙反転装置と、前記送り出しがされる先行する用紙と当該用紙に後続して前記収納がされる用紙とが前記一時収納部内で少なくとも部分的に重畳するように前記給送装置及び前記用紙反転装置を制御する第１の制御手段と、を備えている画像形成装置である。
【手続補正５】
【補正対象書類名】明細書
【補正対象項目名】００１１
【補正方法】変更
【補正の内容】
【００１１】
したがって、一時収納部内で先行する用紙と後続の用紙が重畳するので、用紙をスイッチバックして画像形成エンジンに向けて送り出してから、後続の用紙を一時収納部内に送り込むようにした場合に比べて、先行する用紙と後続の用紙との間隔を充分に短縮でき、連続給送の高速化を図ることができる。
【手続補正６】
【補正対象書類名】明細書
【補正対象項目名】００１２
【補正方法】変更
【補正の内容】
【００１２】
請求項２に記載の発明は、請求項１に記載の画像形成装置において、前記第１の制御手段は、前記先行する用紙の搬送方向の後端側と前記後続の用紙の搬送方向の先端側とが重畳するように前記給送装置及び前記用紙反転装置を制御するものである。
【手続補正７】
【補正対象書類名】明細書
【補正対象項目名】００１５
【補正方法】変更
【補正の内容】
【００１５】
したがって、先行する用紙と後続の用紙との間隔を短縮して、連続給送の高速化を図ることができる。
【手続補正８】
【補正対象書類名】明細書
【補正対象項目名】００１６
【補正方法】変更
【補正の内容】
【００１６】
請求項４に記載の発明は、請求項１〜３のいずれかの一に記載の画像形成装置において、前記積層収納部から前記一時収納部に搬送する用紙の搬送速度を前記画像形成エンジンでの画像形成速度より１０％以上高い速度にするように前記給送装置を制御する第２の制御手段を備えている。
【手続補正９】
【補正対象書類名】明細書
【補正対象項目名】００１７
【補正方法】変更
【補正の内容】
【００１７】
したがって、積層収納部から一時収納部に搬送する用紙を充分高速化できるので、搬送経路上で生じる用紙搬送のタイミングのばらつきによっても、確実に用紙を重畳させて、安定的に短い用紙間隔で連続給送できる。
【手続補正１０】
【補正対象書類名】明細書
【補正対象項目名】００１８
【補正方法】変更
【補正の内容】
【００１８】
請求項５に記載の発明は、請求項１〜４のいずれかの一に記載の画像形成装置において、前記画像形成エンジンは、前記画像形成を電子写真方式で行う。
【手続補正１１】
【補正対象書類名】明細書
【補正対象項目名】００１９
【補正方法】変更
【補正の内容】
【００１９】
したがって、電子写真方式の画像形成装置で発生していた連続画像形成の際の画像形成エンジン、特に感光体などの磨耗劣化を、連続給送の用紙間隔の短縮化により大幅に改善することができる。
【手続補正１２】
【補正対象書類名】明細書
【補正対象項目名】００２０
【補正方法】変更
【補正の内容】
【００２０】
請求項６に記載の発明は、請求項５に記載の画像形成装置において、前記画像形成エンジンは、前記画像形成を感光体に対する静電潜像の光書込みにデジタル光書込装置を用いるデジタル電子写真方式で行う。
【手続補正１３】
【補正対象書類名】明細書
【補正対象項目名】００５３
【補正方法】変更
【補正の内容】
【００５３】
【発明の効果】
請求項１に記載の発明は、一時収納部内で先行する用紙と後続の用紙が重畳するので、用紙をスイッチバックして画像形成エンジンに向けて送り出してから、後続の用紙を一時収納部内に送り込むようにした場合に比べて、先行する用紙と後続の用紙との間隔を充分に短縮でき、連続給送の高速化を図ることができる。
【手続補正１４】
【補正対象書類名】明細書
【補正対象項目名】００５５
【補正方法】変更
【補正の内容】
【００５５】
請求項３に記載の発明は、請求項１又は２に記載の画像形成装置において、先行する用紙と後続の用紙との間隔を短縮して、連続給送の高速化を図ることができる。
【手続補正１５】
【補正対象書類名】明細書
【補正対象項目名】００５６
【補正方法】変更
【補正の内容】
【００５６】
請求項４に記載の発明は、請求項１〜３のいずれかの一に記載の画像形成装置において、積層収納部から一時収納部に搬送する用紙を充分高速化できるので、搬送経路上で生じる用紙搬送のタイミングのばらつきによっても、確実に用紙を重畳させて、安定的に短い用紙間隔で連続給送できる。
【手続補正１６】
【補正対象書類名】明細書
【補正対象項目名】００５７
【補正方法】変更
【補正の内容】
【００５７】
請求項５に記載の発明は、請求項１〜４のいずれかの一に記載の画像形成装置において、電子写真方式の画像形成装置で発生していた連続画像形成の際の画像形成エンジン、特に感光体などの磨耗劣化を、連続給送の用紙間隔の短縮化により大幅に改善することができる。